(57)【要約】【課題】輝度の調整を容易に且つ正確に行うことのできる照明装置を提供する。【解決手段】照明装置は、光源と、電流制限抵抗と、光源駆動電源と、を備える。光源は、電流が供給されることで光を出射する。電流制限抵抗は、並列接続された複数の抵抗より構成される。光源駆動電源は、光源に対し電流制限抵抗を介して電流を供給する。光源から出射される光の輝度は、複数の抵抗の数を調整することで調整される。このようにすることで、電流制限抵抗の抵抗値をデジタル的に決定することができる。電流制限抵抗の抵抗値をデジタル的に決定することにより、当該抵抗値のばらつきを防ぎ、輝度の調整を容易かつ正確に行うことができる。【選択図】図９
2007220466.tif 000002
【特許請求の範囲】
【請求項１】
電流が供給されることで光を出射する光源と、
並列接続された複数の抵抗より構成される電流制限抵抗と、
前記光源に対し前記電流制限抵抗を介して電流を供給する光源駆動電源と、を備え、
前記複数の抵抗の数を調整することで前記光源から出射される光の輝度が調整されてなることを特徴とする照明装置。
【請求項２】
前記複数の抵抗は、抵抗値が夫々異なる複数のヒューズであり、
前記複数のヒューズのうち、選択的に１つ以上のヒューズをレーザーにより溶断することで前記光源から出射される光の輝度が調整されてなることを特徴とする請求項１に記載の照明装置
【請求項３】
前記複数の抵抗は、抵抗値が異なる複数の配線抵抗に対し、全て同じ幅を有する複数のヒューズが夫々接続されたものであり、
前記複数のヒューズのうち、選択的に１つ以上のヒューズをレーザーにより溶断することで前記光源から出射される光の輝度が調整されてなることを特徴とする請求項１に記載の照明装置。
【請求項４】
表示パネルと、
表示パネルのバックライトとして用いられる請求項１乃至３のいずれか一項に記載の照明装置と、を有する電気光学装置。
【請求項５】
請求項４に記載の電気光学装置を表示部に備えることを特徴とする電子機器。
【発明の詳細な説明】
【技術分野】
【０００１】
本発明は、液晶表示装置などに用いられる照明装置に関する。
【背景技術】
【０００２】
液晶表示装置においては、透過表示を行うために液晶表示パネルの背面側に照明装置が設けられる。赤、緑、青の各色のＬＥＤ（Light Emitting Diode）を光源に有する照明装置は、それぞれのＬＥＤから出射された光を混光することにより白色光を生成し、生成された白色光を液晶表示パネルの背面側に照射する。液晶表示装置は、照明装置より照射された白色光を、液晶表示パネルの基板上に積層されている赤、緑、青のそれぞれの波長の光を透過するカラーフィルタに透過させることにより、カラー表示を実現している。液晶表示装置の製造工程では、照明装置より照射される白色光のホワイトバランスを調整するために、照明装置における各色のＬＥＤの輝度を調整する必要がある。
【０００３】
下記の特許文献１には、照明装置において、ＬＥＤなどの光源に接続された可変抵抗に対し、レーザー光を照射することで、可変抵抗の抵抗値を所望の抵抗値とすることにより、光源の輝度を調整する技術が記載されている。
【０００４】
【特許文献１】特開２０００−３１０７６１号公報
【発明の開示】
【発明が解決しようとする課題】
【０００５】
しかしながら、特許文献１に記載の技術は、レーザー光や可変抵抗の状態で抵抗値がばらつく可能性があり、光源の輝度を正確に調整することが困難である。
【０００６】
本発明は上記の点に鑑みてなされたものであり、照明装置において、輝度の調整を容易に且つ正確に行うことを課題とする。
【課題を解決するための手段】
【０００７】
本発明の１つの観点では、照明装置は、電流が供給されることで光を出射する光源と、並列接続された複数の抵抗より構成される電流制限抵抗と、前記光源に対し前記電流制限抵抗を介して電流を供給する光源駆動電源と、を備え、前記複数の抵抗の数を調整することで前記光源から出射される光の輝度が調整されてなる。
【０００８】
上記の照明装置は、例えば、液晶表示装置のバックライトとして用いられるものであり、光源と、電流制限抵抗と、光源駆動電源と、を備える。前記光源は、例えばＬＥＤであり、電流が供給されることで光を出射する。前記電流制限抵抗は、並列接続された複数の抵抗より構成される。前記複数の抵抗は、例えば、複数のヒューズである。前記光源駆動電源は、例えばＬＥＤ駆動電源であり、前記光源に対し前記電流制限抵抗を介して電流を供給する。前記光源から出射される光の輝度は、前記複数の抵抗の数を調整することで調整される。このようにすることで、電流制限抵抗の抵抗値をデジタル的に決定することができる。電流制限抵抗の抵抗値をデジタル的に決定することにより、当該抵抗値のばらつきを防ぎ、照明装置の輝度の調整を容易かつ正確に行うことができる。
【０００９】
上記の照明装置の好適な実施例は、前記複数の抵抗は、抵抗値が夫々異なる複数のヒューズであり、前記複数のヒューズのうち、選択的に１つ以上のヒューズをレーザーにより溶断することで前記光源から出射される光の輝度が調整されてなる。
【００１０】
上記の照明装置の他の一態様は、前記複数の抵抗は、抵抗値が異なる複数の配線抵抗に対し、全て同じ幅を有する複数のヒューズが夫々接続されたものであり、前記複数のヒューズのうち、選択的に１つ以上のヒューズをレーザーにより溶断することで前記光源から出射される光の輝度が調整されてなる。これにより、更に、レーザーの切断効率を高めることができる。
【００１１】
本発明の他の観点では、表示パネルと、表示パネルのバックライトとして用いられる照明装置とを有する電気光学装置を構成することができる。ここで、電気光学装置は、例えば、液晶表示装置である。前記照明装置として、本発明の照明装置を用いることができる。
【００１２】
本発明の更なる他の観点では、上記の電気光学装置を表示部に備えることを特徴とする電子機器を構成することができる。
【発明を実施するための最良の形態】
【００１３】
以下、図面を参照して本発明を実施するための最良の形態について説明する。
【００１４】
［第１実施形態］
まず、図１及び図２を参照して、第１実施形態に係る液晶表示装置１００の構成等について説明する。
【００１５】
図１は、第１実施形態に係る液晶表示装置１００の概略構成を模式的に示す平面図である。図１では、紙面手前側（観察側）にカラーフィルタ基板９２が、また、紙面奥側に素子基板９１が夫々配置されている。なお、図１では、紙面縦方向（列方向）をＹ方向と、また、紙面横方向（行方向）をＸ方向と規定する。また、図１において、Ｒ（赤）、Ｇ１（緑１）、Ｂ（青）、Ｇ２（緑２）に対応する各領域は１つのサブ画素ＳＧを示していると共に、Ｒ、Ｇ１、Ｂ、Ｇ２に対応する１行４列のサブ画素ＳＧは、１つの表示画素ＡＧを示している。ここで、Ｇ１（緑１）、Ｇ２（緑２）は、青から黄までの色相の中で選択された２種の色相である。第１実施形態では、一例として、Ｇ１（緑１）は、一般的にＧで示される純粋な緑を示し、Ｇ２(緑２）は、黄緑を示すこととする。
【００１６】
図２は、液晶表示装置１００における切断線Ａ−Ａ´に沿った１つの表示画素ＡＧの拡大断面図である。図２に示すように、液晶表示装置１００は、照明装置１０と、液晶表示パネル３０と、拡散シート１４と、プリズムシート１５と、反射シート１６より構成される。液晶表示パネル３０は、素子基板９１と、その素子基板９１に対向して配置されるカラーフィルタ基板９２とが枠状のシール材５を介して貼り合わされ、そのシール材５の内側に液晶が封入されて液晶層４が形成されてなる。液晶層４に用いられる液晶は、例えばＴＮ（Twisted Nematic）型液晶である。液晶表示パネル３０の素子基板９１の外面上には、照明装置１０が備えられている。
【００１７】
第１実施形態に係る液晶表示装置１００は、Ｒ、Ｇ１、Ｂ、Ｇ２の４色を用いて構成されるカラー表示用の液晶表示装置であると共に、スイッチング素子としてα−Ｓｉ型ＴＦＴ（Thin Film Transistor）素子を用いたアクティブマトリクス駆動方式の液晶表示装置である。
【００１８】
素子基板９１の平面構成について説明する。素子基板９１の内面上には、主として、複数のソース線３２、複数のゲート線３３、複数のα−Ｓｉ型ＴＦＴ素子３７、複数の画素電極３４、ドライバＩＣ４０、外部接続用配線３５及びＦＰＣ（Flexible Printed Circuit）４１などが形成若しくは実装されている。
【００１９】
図１に示すように、素子基板９１は、カラーフィルタ基板９２の一辺側から外側へ張り出してなる張り出し領域３１を有しており、その張り出し領域３１上には、ドライバＩＣ４０が実装されている。ドライバＩＣ４０の入力側の端子（図示略）は、複数の外部接続用配線３５の一端側と電気的に接続されていると共に、複数の外部接続用配線３５の他端側はＦＰＣ４１と電気的に接続されている。各ソース線３２は、Ｙ方向に延在するように且つＸ方向に適宜の間隔をおいて形成されており、各ソース線３２の一端側は、ドライバＩＣ４０の出力側の端子（図示略）に電気的に接続されている。
【００２０】
各ゲート線３３は、Ｙ方向に延在するように形成された第１配線３３ａと、その第１配線３３ａの終端部からＸ方向に延在するように形成された第２配線３３ｂとを備えている。各ゲート線３３の第２配線３３ｂは、各ソース線３２と交差する方向、即ちＸ方向に延在するように且つＹ方向に適宜の間隔をおいて形成されており、各ゲート線３３の第１配線３３ａの一端側は、ドライバＩＣ４０の出力側の端子（図示略）に電気的に接続されている。各ソース線３２と各ゲート線３３の第２配線３３ｂの交差に対応する位置にはα−ＴＦＴ素子３７が設けられており、各α−ＴＦＴ素子３７は各ソース線３２、各ゲート線３３及び各画素電極３４等に電気的に接続されている。各α−ＴＦＴ素子３７及び各画素電極３４は、ガラスなどの基板１上の各サブ画素ＳＧに対応する位置に設けられている。各画素電極３４は、例えばＩＴＯ（Indium-Tin Oxide）などの透明導電材料により形成されている。
【００２１】
１つの表示画素ＡＧがＸ方向及びＹ方向に複数個、マトリクス状に並べられた領域が有効表示領域Ｖ（２点鎖線により囲まれる領域）である。この有効表示領域Ｖに、文字、数字、図形等の画像が表示される。なお、有効表示領域Ｖの外側の領域は表示に寄与しない額縁領域３８となっている。また、各ソース線３２、各ゲート線３３、各α−ＴＦＴ素子３７、及び各画素電極３４等の内面上には、図示しない配向膜が形成されている。
【００２２】
次に、カラーフィルタ基板９２の平面構成について説明する。図２に示すように、カラーフィルタ基板９２は、ガラスなどの基板２上に、遮光層（一般に「ブラックマトリクス」と呼ばれ、以下では、単に「ＢＭ」と略記する）、Ｒ、Ｇ１、Ｂ、Ｇ２の４色の着色層６Ｒ、６Ｇ１、６Ｂ、６Ｇ２及び共通電極８などを有する。ＢＭは、各色のサブ画素ＳＧを区画する位置に形成されている。なお、以下の説明もしくは図面において、Ｒ、Ｇ１、Ｂ、Ｇ２の色を特定することなく構成要素を示す場合には、単に「着色層６」のように記し、Ｒ、Ｇ１、Ｂ、Ｇ２の色を区別して構成要素を示す場合には、例えば「着色層６Ｒ」のように記すこととする。Ｒ、Ｇ１、Ｂ、Ｇ２の各色のサブ画素ＳＧは、Ｒ、Ｇ１、Ｂ、Ｇ２の着色層６Ｒ、６Ｇ１、６Ｂ、６Ｇ２の夫々を有している。このＲ、Ｇ１、Ｂ、Ｇ２の着色層６Ｒ、６Ｇ１、６Ｂ、６Ｇ２が、夫々の色のカラーフィルタとして機能する。共通電極８は、画素電極と同様にＩＴＯなどの透明導電材料からなり、カラーフィルタ基板９２の略一面に亘って形成されている。共通電極８は、シール材５の隅の領域Ｅ１において配線３６の一端側と電気的に接続されていると共に、当該配線３６の他端側は、ドライバＩＣ４０のＣＯＭに対応する出力端子と電気的に接続されている。
【００２３】
次に、照明装置１０について説明する。照明装置１０は、導光板１１と光源部１２より構成される。光源部１２は、導光板１１の端面１１ｃに対し光Ｌを出射する。光源部１２は、後に詳しく述べるが、光源として複数のＬＥＤ（Light Emitting Diode）１３を有する。
【００２４】
光源部１２より出射した光Ｌは、導光板１１の端面（以下、「入光端面」と称す）１１ｃより導光板１１内へ入り、導光板１１の出射面１１ａ、反射面１１ｂで反射を繰り返すことにより方向を変える。光Ｌは、導光板１１の出射面１１ａと光Ｌのなす角が臨界角を超えると、導光板１１の出射面１１ａより液晶表示パネル３０へ向けて出射する。光Ｌは、導光板１１の反射面１１ｂと光Ｌのなす角が臨界角を超えると、導光板１１の反射面１１ｂより出射する。しかし、導光板１１の反射面１１ｂより出射した光は、光を反射する反射シート１６によって反射され、導光板１１内部へ戻される。
【００２５】
導光板１１の出射面１１ａより液晶表示パネル３０へ向けて出射した光Ｌは、拡散シート１４、プリズムシート１５を透過した後、液晶表示パネル３０を透過する。拡散シート１４は、光Ｌを拡散して出射する。プリズムシート１５は、プリズムシート１５ａ、１５ｂより構成される。プリズムシート１５ａ、１５ｂは夫々、断面形状が略三角形となるプリズム形状を全面に有しており、光Ｌを液晶表示パネル３０に向けて出射する。なお、プリズムシート１５ａ、１５ｂは、プリズム形状のプリズムの稜線が互いに略垂直となる配置とされる。液晶表示装置１００は、光Ｌが液晶表示パネル３０を透過することによって照明される。これにより、液晶表示装置１００は、文字、数字、図形等の画像を表示することができ、観測者が画像を視認することができる。
【００２６】
液晶表示装置１００では、電子機器のメイン基板等と接続されたＦＰＣ４１側からの信号及び電力等に基づき、ドライバＩＣ４０によって、Ｇ１、Ｇ２、・・・、Ｇｍ−１、Ｇｍ（ｍは自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０は、選択されたゲート線３３に対応する位置にある画素電極３４に対し、表示内容に応じたソース信号を、それぞれ対応するＳ１、Ｓ２、・・・、Ｓｎ−１、Ｓｎ（ｎは自然数）のソース線３２及びα−ＴＦＴ素子３７を介して供給する。その結果、液晶層４の配向状態が制御され、液晶表示装置１００の表示状態が、非表示状態または中間表示状態に切り替えられることとなる。
【００２７】
なお、第１実施形態に係る液晶表示装置１００は、完全透過型の液晶表示装置として示しているが、これに限られず、代わりに半透過反射型の液晶表示装置を用いるとすることもできる。また、液晶表示パネル３０は、スイッチング素子として、α−ＴＦＴ素子３７を用いるとしているが、これに限られず、代わりにポリシリコンＴＦＴやＴＦＤ（Thin Film Diode）素子を用いるとすることもできる。さらに、第１実施形態に係る液晶表示装置１００は、カラーフィルタとして、着色層６Ｒ、６Ｇ１、６Ｂ、６Ｇ２の４色より構成されるとしているが、これに限られず、代わりに、一般的な液晶表示装置と同様、ＲＧＢの３色のカラーフィルタより構成されるとしてもよい。
【００２８】
さらに、液晶表示パネル３０としては、上述したようなＴＮ液晶からなる液晶層を有する液晶表示パネルには限られず、代わりに、ＶＡ（Vertical Alignment）方式、ＩＰＳ（In Plane Switching）方式、ＦＦＳ（Fringe Field Structure）方式などの液晶表示パネルを用いるとすることもできる。
【００２９】
なお、第１実施形態では、表示パネルとして液晶表示パネルを用いているが、これに限られるものではなく、代わりに表示パネルとして、電気泳動ディスプレイパネルなどの他の表示パネルを用いるとすることもできる。
【００３０】
（照明装置の構成）
次に、第１実施形態に係る照明装置１０の構成について具体的に述べる。図３は、第１実施形態に係る照明装置１０の平面図である。
【００３１】
照明装置１０は、先にも述べたように、光源部１２と導光板１１より構成される。光源部１２は、主に、フレキシブル基板７２と、複数の光源パッケージ７１と、各色のＬＥＤ駆動回路５１、即ち、各色のＬＥＤ１３を夫々駆動するための複数の駆動回路５１より構成される。ＬＥＤ駆動回路５１と光源パッケージ７１は、各色毎に配線６１によって電気的に接続されている。各色のＬＥＤ駆動回路５１は、電流制限抵抗５２とＬＥＤ駆動電源５４より構成される。
【００３２】
図４は、第１実施形態に係る光源部１２の構成を示す斜視図である。図４に示すように、複数の光源パッケージ７１は、フレキシブル基板７２上に配置されている。光源パッケージ７１は、複数の色の光を夫々発光する複数の光源が１つにパッケージ化されている。このような光源パッケージ７１は、いわゆる３ｉｎ１ＬＥＤパッケージとも呼ばれる。図４に示す光源部１２では、光源パッケージ７１に対し、ＲＧＢの各色の光を夫々発光するＬＥＤ１３Ｒ、１３Ｇ、１３Ｂが１つにパッケージ化されている。複数の光源パッケージ７１は、ＬＥＤ１３Ｒ、１３Ｇ、１３Ｂより出射される光の出射方向が同じ方向となるように並列して配置されている。図３にも示すように、ＬＥＤ１３Ｒ、１３Ｇ、１３Ｂより出射される光の出射方向には、導光板１１の入光端面１１ｃが対向して配置され、ＬＥＤ１３Ｒ、１３Ｇ、１３Ｂより出射された光は、導光板１１の入光端面１１ｃに入射する。ＬＥＤ１３Ｒ、１３Ｇ、１３Ｂより出射された光は、拡散するに伴い、互いに混光して白色光たる光Ｌとなる。
【００３３】
ここで、光源パッケージ７１の構成について述べる。図５は、図４において切断線Ｂ−Ｂ´に沿った１つの光源パッケージ７１の拡大断面図である。光源パッケージ７１は、主に、反射枠体７３と、ＲＧＢの各色の光を発光するＬＥＤ１３より構成される。反射枠体７３は、樹脂などにより形成され、すり鉢状の凹部を有しており、凹部の内面にはメッキ処理等により光を反射する反射膜が形成されている。図５に示す光源パッケージ７１の拡大断面図は、図４において切断線Ｂ−Ｂ´に沿ったものであるので、赤色ＬＥＤ１３Ｒのみが示されているが、実際には、ＲＧＢの各色の光を夫々発光する各色のＬＥＤ１３が、反射枠体７３の凹部の底面に設置されている。反射枠体７３の凹部の底面には、電極７５、７６が設置されている。電極７５、７６の一端は、反射枠体７３の外部、具体的には、フレキシブル基板７２上に設置されているＬＥＤ１３を駆動するためのＬＥＤ駆動回路５１と接続されている。一方、電極７５、７６の他端は、ＬＥＤ１３と接続されている。例えば、図５に示すように、赤色ＬＥＤ１３のアノード７７は電極７５と接続され、赤色ＬＥＤ１３Ｒのカソード７８は電極７６と接続される。即ち、赤色ＬＥＤ１３Ｒは、電極７５、７６を介してＬＥＤ駆動回路５１Ｒと接続されている。赤色ＬＥＤ１３Ｒは、外部より電流Ｉｒが流されることで、赤色光を発光する。電流Ｉｒの電流量を大きくすれば、赤色ＬＥＤ１３Ｒより出射される赤色光の輝度は、大きくなり、電流Ｉｒの電流量を小さくすれば、赤色ＬＥＤ１３Ｒより出射される赤色光の輝度は、小さくなる。
【００３４】
緑色ＬＥＤ１３Ｇ、青色ＬＥＤ１３Ｂについても同様に夫々、アノード、カソードが夫々、反射枠体７３の外部と接続されている電極と接続される。そして、緑色ＬＥＤ１３Ｇ、青色ＬＥＤ１３Ｂも夫々、当該電極を介してＬＥＤ駆動回路５１Ｇ、５１Ｂと接続されている。緑色ＬＥＤ１３Ｇ、青色ＬＥＤ１３Ｂは、夫々、外部より電流Ｉｇ、Ｉｂが流されることで、緑色光、青色光を発光する。電流Ｉｇ、Ｉｂの電流量を大きくすれば、緑色ＬＥＤ１３Ｇ、青色ＬＥＤ１３Ｂより出射される緑色光、青色光の輝度は、夫々大きくなり、電流Ｉｇ、Ｉｂの電流量を小さくすれば、緑色ＬＥＤ１３Ｇ、青色ＬＥＤ１３Ｂより出射される緑色光、青色光の輝度は、夫々小さくなる。
【００３５】
反射枠体７３は、その凹部の底面にＲＧＢの各色の光を夫々発光するＬＥＤ１３が設置された後、透明な樹脂７４によって封止され、光源パッケージ７１が完成する。なお、ここで、樹脂７４の最上面、言い換えると光源パッケージ７１の光の出射面にレンズを配置するとしても良い。例えば、当該レンズとして、凹レンズを配置すれば、各色のＬＥＤ１３より出射される光をより拡散することができる。
【００３６】
図６は、照明装置１０の構成を示すブロック図である。図６では、一例として、２つの光源パッケージ７１を示す。夫々の光源パッケージ７１には、図４に示すように、ＲＧＢの各色のＬＥＤ１３Ｒ、１３Ｇ、１３Ｂが、１つずつ備えられている。つまり、図６に示すように、２つの光源パッケージ７１のうち、一方の光源パッケージ７１に、赤色ＬＥＤ１３Ｒ１、緑色ＬＥＤ１３Ｇ１、青色ＬＥＤ１３Ｂ１が備えられ、他方の光源パッケージ７１に、赤色ＬＥＤ１３Ｒ２、緑色ＬＥＤ１３Ｇ２、青色ＬＥＤ１３Ｂ２が備えられるとする。
【００３７】
光源部１２は、光源パッケージ７１にパッケージ化されてなる複数のＲＧＢの各色のＬＥＤ１３Ｒ、１３Ｇ、１３Ｂの他に、赤色ＬＥＤ駆動回路５１Ｒと、緑色ＬＥＤ駆動回路５１Ｇと、青色ＬＥＤ駆動回路５１Ｂを備える。
【００３８】
赤色ＬＥＤ駆動回路５１Ｒは、赤色ＬＥＤ１３Ｒ１、１３Ｒ２と接続され、緑色ＬＥＤ駆動回路５１Ｇは、緑色ＬＥＤ１３Ｇ１、１３Ｇ２と接続され、青色ＬＥＤ駆動回路５１Ｂは、青色ＬＥＤ１３Ｂ１、１３Ｂ２と接続される。
【００３９】
赤色ＬＥＤ１３Ｒ１、１３Ｒ２は、電気的に直列接続される。直列接続された赤色ＬＥＤ１３Ｒ１、１３Ｒ２は、赤色ＬＥＤ駆動回路５１Ｒによって電流Ｉｒが流される。図６に、赤色ＬＥＤ１３Ｒ１、１３Ｒ２に流される電流の流れを実線矢印で示す。これにより、赤色ＬＥＤ１３Ｒ１、１３Ｒ２には、どちらにも電流Ｉｒが流され、赤色ＬＥＤ１３Ｒ１、１３Ｒ２は、どちらも同じ輝度の赤色光を発光することができる。
【００４０】
図６には、緑色ＬＥＤ１３Ｇ１、１３Ｇ２、青色ＬＥＤ１３Ｂ１、１３Ｂ２夫々に流される電流の流れについても破線矢印で示す。
【００４１】
緑色ＬＥＤ１３Ｇ１、１３Ｇ２は、電気的に直列接続される。直列接続された緑色ＬＥＤ１３Ｇ１、１３Ｇ２は、緑色ＬＥＤ駆動回路５１Ｇによって電流Ｉｇが流される。これにより、緑色ＬＥＤ１３Ｇ１、１３Ｇ２には、どちらにも電流Ｉｇが流され、緑色ＬＥＤ１３Ｇ１、１３Ｇ２は、どちらも同じ輝度の緑色光を発光することができる。
【００４２】
青色ＬＥＤ１３Ｂ１、１３Ｂ２も、電気的に直列接続される。直列接続された２つの青色ＬＥＤ１３Ｂ１、１３Ｂ２は、青色ＬＥＤ駆動回路５１Ｂによって電流Ｉｂが流される。これにより、青色ＬＥＤ１３Ｂ１、１３Ｂ２には、どちらにも電流Ｉｂが流され、青色ＬＥＤ１３Ｂ１、１３Ｂ２は、どちらも同じ輝度の青色光を発光することができる。
【００４３】
図７に、一例として、第１実施形態に係る赤色ＬＥＤ駆動回路５１Ｒの回路図を示す。赤色ＬＥＤ駆動回路５１Ｒは、電流制限抵抗５２Ｒと、ＬＥＤ駆動電源５４Ｒより構成される。電流制限抵抗５２Ｒは、後に詳しく述べるが、抵抗値を調節することが可能な可変抵抗である。ＬＥＤ駆動電源５４Ｒは、赤色ＬＥＤ１３Ｒ１、１３Ｒ２にパルス電流を供給する。赤色ＬＥＤ１３Ｒ１、１３Ｒ２に供給されるパルス電流の幅及びタイミングは、ＬＥＤ駆動電源５４Ｒを制御することによって変えられる。緑色ＬＥＤ駆動回路５１Ｇ、青色ＬＥＤ駆動回路５１Ｂの夫々についても、赤色ＬＥＤ駆動回路５１Ｒと同様、電気的に接続されている緑色ＬＥＤ１３Ｇ１、１３Ｇ２、青色ＬＥＤ１３Ｂ１、１３Ｂ２の夫々にパルス電流を供給するためのＬＥＤ駆動電源５４Ｇ、５４Ｂと、電流制限抵抗５２Ｇ、５２Ｂを夫々有する。
【００４４】
以上のことから分かるように、第１実施形態に係る光源部１２では、ＲＧＢの各色のＬＥＤ１３は、各色ごとにＬＥＤ駆動回路５１を有している。また、各色のＬＥＤ１３に夫々接続されたＬＥＤ駆動回路５１は、電気的に接続されている各色のＬＥＤ１３にパルス電流を供給する。このように各色のＬＥＤ毎にＬＥＤ駆動回路が設けられることで、各色のＬＥＤ毎に別々にパルス電流をかけることができる。
【００４５】
図８は、第１実施形態に係る照明装置１０における各色のＬＥＤ１３の駆動シーケンスを示したタイミングチャートの一例である。図８において、各色のＬＥＤ１３の「ＯＮ」は点灯状態を、「ＯＦＦ」は消灯状態を示す。例えば、図６で言うと、赤色ＬＥＤ１３Ｒが「ＯＮ」となるときは、赤色ＬＥＤ１３Ｒ１、１３Ｒ２の両方が点灯し、赤色ＬＥＤ１３Ｒが「ＯＦＦ」となるときは、赤色ＬＥＤ１３Ｒ１、１３Ｒ２の両方が消灯する。図８において、緑色ＬＥＤ１３Ｇ、青色ＬＥＤ１３Ｂの「ＯＮ」及び「ＯＦＦ」となるときについても同様に、緑色ＬＥＤ１３Ｇ１、１３Ｇ２の両方、青色ＬＥＤ１３Ｂ１、１３Ｂ２の両方が夫々、点灯及び消灯する。
【００４６】
第１実施形態に係る照明装置１０では、各色のＬＥＤ１３は、時分割的に点灯する構成となる。以下において、各色のＬＥＤ１３が「ＯＮ」となっている期間を点灯期間と呼び、各色のＬＥＤ１３が「ＯＦＦ」となっている期間を非点灯期間と呼ぶこととする。照明装置１０より出射する光Ｌの色度や液晶表示パネル３０の表示画面の色度は、１フレーム期間中における、ＲＧＢの各色のＬＥＤ１３の点灯期間を変えることにより、所定の色度に調整される。このようにすることで、ＲＧＢの各色のＬＥＤ１３に定電流を流して常時点灯するよりも、ＲＧＢの各色のＬＥＤ１３の点灯時間を短くすることができ、消費電力の低減を図ることができる。
【００４７】
各色のＬＥＤ１３が時分割的に点灯している場合、人間の目には、各色のＬＥＤ１３が、夫々点灯している期間によって、光Ｌの色合いが異なって見える。具体的には、光Ｌの色は、１フレーム期間中において、点灯期間の長いＬＥＤ１３から出射される光の色の成分が濃くなり、点灯期間の短いＬＥＤ１３から出射される光の色の成分が薄くなる。一般的には、１フレーム期間は１／６０秒程度とされるため、各色のＬＥＤ１３が時分割的に点灯しても、残像効果により、人間の目にとって色の変化が認識されることはない。
【００４８】
（電流制限抵抗の構成）
次に、電流制限抵抗５２の構成について述べる。電流制限抵抗５２の例として、図９に、図３における電流制限抵抗５２Ｒの拡大した模式図を示す。電流制限抵抗５２Ｇ、５２Ｂも電流制限抵抗５２Ｒと同様の構造となる。
【００４９】
図９に示すように、電流制限抵抗５２は、配線６１に対し、夫々幅の異なるヒューズ６２ａ、６２ｂ、６２ｃ、６２ｄが電気的に並列接続されてなる構造を有している。第１実施形態に係る照明装置１０は、電流制限抵抗５２において、並列接続されてなるヒューズの数を調整することで各色のＬＥＤ１３から出射される光の輝度が調整されてなる。具体的には、第１実施形態に係る照明装置１０は、この並列接続されてなるヒューズ６２ａ、６２ｂ、６２ｃ、６２ｄのうち、選択的に１つ以上のヒューズをレーザーにより溶断することで、電流制限抵抗５２Ｒの抵抗値を変え、各色のＬＥＤ１３から出射される光の輝度が調整されてなる。図９では、ヒューズを溶断するためのレーザーが照射される部分を範囲６３として示す。
【００５０】
図１０（ａ）に、電流制限抵抗５２Ｒの切断線Ｃ−Ｃ´に沿った拡大断面図を示し、図１０（ｂ）に、電流制限抵抗５２Ｒの切断線Ｄ−Ｄ´に沿った拡大断面図を示す。
【００５１】
図１０（ａ）、（ｂ）を基に、電流制限抵抗５２Ｒの構成について述べる。フレキシブル基板７２の表面上には、絶縁性層間膜６５が積層されている。絶縁性層間膜６５の表面上には、ポリシリコン膜が積層され、その平面形状は、例えば、夫々幅の異なる４つの矩形形状に形成されている。この４つの矩形形状に形成されたポリシリコン膜が、ヒューズ６２ａ、６２ｂ、６２ｃ、６２ｄとなる。なお、図１０（ａ）、（ｂ）では、切断線Ｃ−Ｃ´及び切断線Ｄ−Ｄ´に沿った拡大断面図を示しているため、ヒューズ６２ｂのみが示されている。
【００５２】
ヒューズ６２ａ、６２ｂ、６２ｃ、６２ｄ及び絶縁性層間膜６５の表面上には、絶縁性層間膜６６が形成されており、コンタクト孔６８が設けられている。配線６１は、コンタクト孔６８を介して、ヒューズ６２ａ、６２ｂ、６２ｃ、６２ｄと接続されている。絶縁性層間膜６６の配線６１に対応する表面上には、保護膜６７が形成されているが、絶縁性層間膜６６の範囲６３に対応する表面上は、レーザーが照射される部分なので、保護膜６７は形成されていない。
【００５３】
ここで、各ヒューズの抵抗値Ｒｖは、ヒューズの導電率をρ、ヒューズの断面積をＳ、ヒューズの長さをｈとすると、以下の式（１）で示される。
【００５４】
Ｒｖ  ＝  ρｈ／Ｓ      ・・・（１）
即ち、ヒューズの抵抗値Ｒｖは、ヒューズの断面積Ｓに反比例し、ヒューズの長さｈに比例する。第１実施形態に係る照明装置では、ヒューズ６２ａ、６２ｂ、６２ｃ、６２ｄの厚さ及び長さは、全て同じ大きさであると考えられるので、ヒューズ６２ａ、６２ｂ、６２ｃ、６２ｄの抵抗値は、夫々のヒューズの幅が大きくなるに従って小さくなると考えられる。なぜならば、ヒューズの幅が大きくなるに従って、ヒューズの断面積も大きくなるからである。
【００５５】
また、電流制限抵抗５２にＮ個のヒューズが並列接続されているとし、各ヒューズの抵抗値をＲｖｉ（ｉ＝１〜Ｎ）とすると、そのときの電流制限抵抗５２の抵抗値Ｒｖと各ヒューズの抵抗値Ｒｖｉの関係は、以下の式（２）で示される。
【００５６】
１／Ｒｖｓ  ＝  １／Ｒｖ１＋１／Ｒｖ２＋・・＋１／ＲｖＮ      ・・・（２）
図１１（ａ）〜（ｃ）は、第１実施形態に係る照明装置において、各色のＬＥＤ１３から出射される光の輝度を調整した後の各色の電流制限抵抗５２のヒューズを示す模式図である。図１１（ａ）〜（ｃ）では、各色の電流制限抵抗５２の範囲６３に係る部分のみを示している。また、ヒューズ６２ａ、６２ｂ、６２ｃ、６２ｄは、ヒューズ６２ａが最もその幅が広く、ヒューズ６２ｄが最もその幅が狭くなっている。このヒューズ６２ａ、６２ｂ、６２ｃ、６２ｄの各抵抗値は夫々、１０[Ω]、２０[Ω]、４０[Ω]、８０[Ω]である。
【００５７】
図１１（ａ）は、電流制限抵抗５２Ｒのヒューズを示す模式図である。電流制限抵抗５２Ｒでは、ヒューズ６２ａ、６２ｂ、６２ｃ、６２ｄは、いずれも溶断されていない。従って、電流制限抵抗５２Ｒの抵抗値は、式（２）を用いると、５．３３３[Ω]となる。
【００５８】
図１１（ｂ）は、電流制限抵抗５２Ｇのヒューズを示す模式図である。電流制限抵抗５２Ｇでは、ヒューズ６２ａ、６２ｂ、６２ｃ、６２ｄのうち、ヒューズ６２ａ、６２ｂ、６２ｃが溶断されている。従って、電流制限抵抗５２Ｇの抵抗値は、ヒューズ６２ｄの抵抗値となるので、８０[Ω]となる。
【００５９】
図１１（ｃ）は、電流制限抵抗５２Ｂのヒューズを示す模式図である。電流制限抵抗５２Ｂでは、ヒューズ６２ａ、６２ｂ、６２ｃ、６２ｄのうち、ヒューズ６２ｃのみが溶断されている。従って、電流制限抵抗５２Ｂは、ヒューズ６２ａ、６２ｂ、６２ｄが並列接続されていることとなる。よって、電流制限抵抗５２Ｂの抵抗値は、式（２）を用いると、６．１５４[Ω]となる。
【００６０】
このように、第１実施形態に係る照明装置１０では、各色の電流制限抵抗５２の抵抗値を、選択的にヒューズをレーザーにより溶断することで変えることができる。第１実施形態に係る照明装置１０では、各色の電流制限抵抗５２の抵抗値を変えることにより、各色のＬＥＤ１３に供給する電流量の大きさを変えることができ、各色のＬＥＤ１３より出射される光の輝度の大きさを変えることができる。
【００６１】
（輝度調整処理）
次に、第１実施形態に係る照明装置１０における輝度調整処理について図１２のフローチャートを用いて述べる。
【００６２】
第１実施形態に係る照明装置１０における輝度調整処理は、光Ｌを所望のホワイトバランスに調整する処理であり、照明装置１０の外部装置である輝度調整装置を用いて行われる。輝度調整装置は、照明装置１０の各色のＬＥＤ１３より出射される各色の光の輝度を測定する測定手段と、測定された各色の光の輝度を基に、各色の電流制限抵抗５２のヒューズにレーザーを照射する照射手段を備えている。
【００６３】
まず、輝度調整装置は、照明装置１０の各色のＬＥＤ１３より出射される各色の光の輝度を、光センサ等の測定手段を用いて測定し（ステップＳ１）、測定された各色の光の輝度の割合が、所定の割合、即ち、その混光された光Ｌが所望のホワイトバランスとなる割合となっているか否かを判定する（ステップＳ２）。輝度調整装置は、測定された各色の光の輝度の割合が、所定の割合になっていると判定した場合には（ステップＳ２：Ｙｅｓ）、処理を終了する。一方、輝度調整装置は、測定された各色の光の輝度の割合が、所定の割合となっていないと判定した場合には（ステップＳ２：Ｎｏ）、各色の光の輝度の割合が所定の割合となるように、各色のＬＥＤ１３に供給する電流量を調整する。即ち、輝度調整装置は、各色の電流制限抵抗５２におけるヒューズに対し、選択的にレーザーを照射して溶断することで、各色の電流制限抵抗５２の抵抗値を調整し、各色のＬＥＤ１３に供給する電流量を調整する。この後、輝度調整装置は、処理を終了する（ステップＳ３）。このようにすることで、各色のＬＥＤ１３より出射される光の輝度は、その割合が、混光された光Ｌが所望のホワイトバランスとなる割合になるように調整される。
【００６４】
以上述べたことから分かるように、第１実施形態に係る照明装置１０は、電流制限抵抗５２における並列接続されているヒューズの数を調整することで、即ち、電流制限抵抗における並列接続されている複数のヒューズのうち、選択的に１つ以上のヒューズをレーザーにより溶断することで、各色のＬＥＤ１３から出射される光の輝度が調整されてなる。このように、ヒューズを選択的に溶断し、溶断されなかった複数のヒューズを組み合わせることにより、電流制限抵抗の抵抗値をデジタル的に決定することができる。このように、電流制限抵抗の抵抗値をデジタル的に決定することにより、当該抵抗値のばらつきを防ぎ、照明装置の輝度の調整を容易かつ正確に行うことができる。
【００６５】
[第２実施形態]
次に、本発明の第２実施形態に係る照明装置１０について説明する。第２実施形態に係る照明装置１０は、図３に示した第１実施形態に係る照明装置１０と略同じ構成となるが、電流制限抵抗５２の構造のみが異なる。
【００６６】
図１３に、図３における第２実施形態に係る電流制限抵抗５２Ｒの拡大された模式図を示す。電流制限抵抗５２Ｇ、５２Ｂも電流制限抵抗５２Ｒと同様の構造となる。
【００６７】
図１３に示すように、第２実施形態に係る電流制限抵抗５２の構造は、第１実施形態に係る電流制限抵抗５２の構造と異なり、抵抗値が異なる複数の配線抵抗に対し、全て同じ幅を有する複数のヒューズが夫々接続されたものが、並列に接続されている。具体的には、配線抵抗ｒ１、ｒ２、ｒ３、ｒ４に対し、全て同じ幅を有するヒューズ６２ａ、６２ｂ、６２ｃ、６２ｄが夫々接続され、それらが並列に配線６１に対し接続されている。言い換えると、電流制限抵抗５２は、配線抵抗ｒ１とヒューズ６２ａが直列接続された合成抵抗６４ａと、配線抵抗ｒ２とヒューズ６２ｂが直列接続された合成抵抗６４ｂと、配線抵抗ｒ３とヒューズ６２ｃが直列接続された合成抵抗６４ｃと、配線抵抗ｒ４とヒューズ６２ｄが直列接続された合成抵抗６４ｄが並列に接続されたものであると言える。
【００６８】
例えば、配線抵抗ｒ１、ｒ２、ｒ３、ｒ４の抵抗値が、この順に抵抗値が高くなるとすると、合成抵抗６４ａ、６４ｂ、６４ｃ、６４ｄの抵抗値も、この順に抵抗値が高くなると考えられる。なぜならば、ヒューズ６２ａ、６２ｂ、６２ｃ、６２ｄは、全て同じ幅を有するので、全て同じ抵抗値を有すると考えられるからである。
【００６９】
図１４（ａ）〜（ｃ）は、第２実施形態に係る照明装置において、各色のＬＥＤ１３から出射される光の輝度を調整した後の各色の電流制限抵抗５２のヒューズを示す模式図である。図１４（ａ）〜（ｃ）では、各色の電流制限抵抗５２の範囲６３に係る部分のみを示している。図１４（ａ）は、電流制限抵抗５２Ｒのヒューズを示す模式図である。電流制限抵抗５２Ｒでは、ヒューズ６２ａ、６２ｂ、６２ｃ、６２ｄは、いずれも溶断されていない。図１４（ｂ）は、電流制限抵抗５２Ｇのヒューズを示す模式図である。電流制限抵抗５２Ｇでは、ヒューズ６２ａ、６２ｂ、６２ｃ、６２ｄのうち、ヒューズ６２ａ、６２ｂ、６２ｃが溶断されている。図１４（ｃ）は、電流制限抵抗５２Ｂのヒューズを示す模式図である。電流制限抵抗５２Ｂでは、ヒューズ６２ａ、６２ｂ、６２ｃ、６２ｄのうち、ヒューズ６２ｃのみが溶断されている。
【００７０】
従って、合成抵抗６４ａ、６４ｂ、６４ｃ、６４ｄの抵抗値が、例えば、１０[Ω]、２０[Ω]、４０[Ω]、８０[Ω]となる場合には、電流制限抵抗５２Ｒ、５２Ｇ、５２Ｂの各抵抗値の値は、第１実施形態の図１１（ａ）〜（ｃ）で述べたのと同様の値、即ち、５．３３３[Ω]、８０[Ω]、６．１５４[Ω]となる。
【００７１】
このことから、第２実施形態に係る照明装置１０においても、第１実施形態に係る照明装置１０と同様、電流制限抵抗５２における並列接続されているヒューズの数を調整することで、即ち、電流制限抵抗における並列接続されている複数のヒューズのうち、選択的に１つ以上のヒューズをレーザーにより溶断することで、各色のＬＥＤ１３から出射される光の輝度が調整されてなる。このように、ヒューズを選択的に溶断し、溶断されなかった複数のヒューズを組み合わせることにより、電流制限抵抗の抵抗値をデジタル的に決定することができる。
【００７２】
また、第２実施形態に係る照明装置１０では、先にも述べたように、ヒューズ６２ａ、６２ｂ、６２ｃ、６２ｄは全て同じ幅を有するので、このときのレーザーの切断効率は、夫々異なる幅を有する複数のヒューズを電流制限抵抗に備える第１実施形態に係る照明装置１０におけるレーザーの切断効率よりも高くなる。
【００７３】
[変形例]
第１実施形態では、電流制限抵抗５２におけるヒューズ６２ａ、６２ｂ、６２ｃ、６２ｄは、配線６１と別々に形成されるとしているが、これに限られるものではない。図１５に変形例に係る電流制限抵抗５２Ｒの模式図を示す。図１５に示すように、ヒューズ６２ａ、６２ｂ、６２ｃ、６２ｄを、配線６１と別々に形成する代わりに、一体形成しても良い。
【００７４】
また、電流制限抵抗５２におけるヒューズの本数は、上述の各実施形態で述べた本数に限られるものでないのは言うまでもない。電流制限抵抗５２におけるヒューズの本数を増やせば増やすほど、より細かく電流制限抵抗５２の抵抗値の調整を行うことができる。
【００７５】
照明装置１０における光源部１２には、複数の色のＬＥＤ１３がパッケージ化された光源パッケージ７１を配列する代わりに、一般的な照明装置で用いられているように、ＲＧＢの各色のＬＥＤ１３を並列に配列するとしても良いのは言うまでもない。また、緑色光は、人間の目にとって視感度が高いため、ＲＧＢの各色のＬＥＤ１３を並列に配列する際、２つの緑色ＬＥＤに対して、赤色ＬＥＤ、青色ＬＥＤを１つずつ配列するとしても良い。  さらには、照明装置１０における光源部１２のＬＥＤ１３としては、ＲＧＢの３色のＬＥＤに限られず、代わりに４色以上のＬＥＤを用いるとしてもよい。例えば、ＲＧＢの３色のＬＥＤの他に、ＲＧＢのうち、いずれか一つの色と補色関係にある色の光を発光するＬＥＤを加えた、計４色のＬＥＤを用いるとすることもできる。なお、４色目のＬＥＤを３色のいずれかの補色関係にある色に限定されるものでない。４つのＬＥＤは後述する表示パネルのカラーフィルタの４色の着色層に対応する色であると望ましい。
【００７６】
また、輝度調整装置は、照明装置１０の外部装置であるとしているが、これに限られるものではなく、代わりに、輝度調整装置は、照明装置１０の内部に備え付けられるとしてもよいのは言うまでもない。
【００７７】
なお、上記の各実施形態では、各色のＬＥＤ１３には、パルス電流が供給されるとしているが、これに限られるものではなく、代わりに定電流が供給されるとしても良いのは言うまでもない。
【００７８】
［他の実施例］
上記の説明では、カラーフィルタとして機能する着色層の色（着色領域）としてＲ、Ｇ１、Ｂ、Ｇ２を挙げて説明したが、本発明の適用はこれには限定されず、他の４色の着色領域により１表示画素を構成することもできる。
【００７９】
具体的には、４色の着色領域は、波長に応じて色相が変化する可視光領域（３８０−７８０ｎｍ）のうち、青系の色相の着色領域（「第１着色領域」とも呼ぶ。）、赤系の色相の着色領域（「第２着色領域」とも呼ぶ。）と、青から黄までの色相の中で選択された２種の色相の着色領域（「第３着色領域」、「第４着色領域」とも呼ぶ。）からなる。ここで「系」との語を用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【００８０】
具体的な色相の範囲は、
・青系の色相の着色領域は、青紫から青緑であり、より好ましくは藍から青である。
・赤系の色相の着色領域は、橙から赤である。
・青から黄までの色相で選択される一方の着色領域は、青から緑であり、より好ましくは青緑から緑である。
・青から黄までの色相で選択される他方の着色領域は、緑から橙であり、より好ましくは緑から黄である。もしくは緑から黄緑である。
【００８１】
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
【００８２】
これにより、従来のＲＧＢの着色領域よりも広範囲の色再現性を実現することができる。
【００８３】
また、上記では４色の着色領域による広範囲の色再現性を色相で述べたが、他の具体的な例として、着色領域を透過した光の波長で表現すると以下のようになる。
・青系の着色領域は、該着色領域を透過した光の波長のピークが４１５−５００ｎｍにある着色領域、好ましくは、４３５−４８５ｎｍにある着色領域である。
・赤系の着色領域は、該着色領域を透過した光の波長のピークが６００ｎｍ以上にある着色領域で、好ましくは、６０５ｎｍ以上にある着色領域である。
・青から黄までの色相で選択される一方の着色領域は、該着色領域を透過した光の波長のピークが４８５−５３５ｎｍにある着色領域で、好ましくは、４９５−５２０ｎｍにある着色領域である。
・青から黄までの色相で選択される他方の着色領域は、該着色領域を透過した光の波長のピークが５００−５９０ｎｍにある着色領域、好ましくは５１０−５８５ｎｍにある着色領域、もしくは５３０−５６５ｎｍにある着色領域である。
【００８４】
この波長は、透過表示の場合は、照明装置からの照明光がカラーフィルタを通して得られた数値である。反射表示の場合は、外光を反射して得られた数値である。
【００８５】
他の具体的な例として、４色の着色領域をｘ、ｙ色度図で表現すると以下のようになる。
・青系の着色領域は、ｘ≦0.151、ｙ≦0.200にある着色領域であり、好ましくは、0.134≦ｘ≦0.151、0.034≦ｙ≦0.200にある着色領域である。
・赤系の着色領域は、0.520≦ｘ、ｙ≦0.360にある着色領域であり、好ましくは、0.550≦ｘ≦0.690、0.210≦ｙ≦0.360にある着色領域である。
・青から黄までの色相で選択される一方の着色領域は、ｘ≦0.200、0.210≦ｙにある着色領域であり、好ましくは、0.080≦ｘ≦0.200、0.210≦ｙ≦0.759にある着色領域である。
・青から黄までの色相で選択される他方の着色領域は、0.257≦ｘ、0.450≦ｙにある着色領域であり、好ましくは、0.257≦ｘ≦0.520、0.450≦ｙ≦0.720にある着色領域である。
【００８６】
このｘ、ｙ色度図は、透過表示の場合は、照明装置からの照明光がカラーフィルタを通して得られた数値である。反射表示の場合は、外光を反射して得られた数値である。
【００８７】
これら４色の着色領域は、サブ画素に透過領域と反射領域を備えた場合、透過領域及び反射領域も上述した範囲で適用することができるものである。
【００８８】
また、照明装置１０におけるＲＧＢ光源としては、以下のものが好ましい。
・Ｂは発光する光の波長のピークが４３５ｎｍ−４８５ｎｍにあるもの
・Ｇは発光する光の波長のピークが５２０ｎｍ−５４５ｎｍにあるもの
・Ｒは発光する光の波長のピークが６１０ｎｍ−６５０ｎｍにあるもの
そして、ＲＧＢ光源の波長によって、上記カラーフィルタを適切に選定すればより広範囲の色再現性を得ることができる。
【００８９】
上記の４色の着色領域の構成の例としては、具体的には以下のものがあげられる。
・色相が、赤、青、緑、青緑の着色領域
・色相が、赤、青、緑、黄の着色領域
・色相が、赤、青、深緑、黄の着色領域
・色相が、赤、青、エメラルドグリーン、黄の着色領域
・色相が、赤、青、エメラルドグリーン、黄緑の着色領域
・色相が、赤、青、深緑、黄緑の着色領域
・色相が、赤、青緑、深緑、黄緑の着色領域
[電子機器]
次に、本実施形態に係る液晶表示装置を電子機器の表示装置として用いる場合の実施形態について説明する。
【００９０】
本実施形態に係る液晶表示装置１００に入力される画像信号としては、例えば、Ｒ、Ｇ１、Ｂ、Ｇ２の各色の画像信号が外部より直接入力されるとしても良いし、又は、ＲＧＢの各色の画像信号が外部より入力され、Ｒ、Ｇ１、Ｂ、Ｇ２の各色の画像信号に変換されるとしても良い。
【００９１】
ここで、液晶表示装置１００において、ＲＧＢの各色の画像信号がＲ、Ｇ１、Ｂ、Ｇ２の各色の画像信号に変換される場合について述べる。
【００９２】
図１６は、本実施形態の全体構成を示す概略構成の回路ブロック図である。ここに示す電子機器は、上記の液晶表示装置１００と、制御手段６１０を有する。制御手段６１０は、表示情報出力源６１１と、表示画像変換回路６１２と、タイミングジェネレータ６１４とを有する。
【００９３】
液晶表示装置１００において、入力されたＲＧＢの各色の画像信号がＲ、Ｇ１、Ｂ、Ｇ２の各色の画像信号に変換される場合、表示画像変換回路６１２は、パーソナルコンピュータなどの外部の表示画像出力源６１１より出力されたＲＧＢの各色の画像信号を、Ｒ、Ｇ１、Ｂ、Ｇ２の各色の画像信号に変換して、液晶表示パネル３０に出力する機能を有する。
【００９４】
表示画像変換回路６１２は、ＣＰＵ（Central Processing Unit）などの演算処理部６１２ａと、ＲＡＭ（Random Access Memory）などの記憶部６１２ｂとを備えて構成されている。演算処理部６１２ａは、表示画像出力源６１１より出力された入力画像のＲＧＢの各色の画像信号６５１Ｒ、６５１Ｇ、６５１Ｂを、Ｒ、Ｇ１、Ｂ、Ｇ２の各色の画像信号６５２Ｒ、６５２Ｇ１、６５２Ｂ、６５２Ｇ２に変換する。記憶部６１２ｂには、所定の強度のＲＧＢの各色の画像信号と、これに対応する強度のＲ、Ｇ１、Ｂ、Ｇ２の各色の画像信号とを対応させたＬＵＴ（Look Up Table）が設けられている。例えば、演算処理部６１２ａに、Ｇ２の色を表示させるＲＧＢの各色の画像信号、例えば、Ｒ＝０、Ｇ＝１００、Ｂ＝１００の強度のＲＧＢの各色の画像信号が入力された場合、演算処理部６１２ａは、このＲＧＢの各色の画像信号の強度に対応する強度のＲ、Ｇ１、Ｂ、Ｇ２の各色の画像信号（例えば、Ｒ＝０、Ｇ１＝１０、Ｂ＝１０、Ｇ２＝１００）を、記憶部６１２ｂのＬＵＴより取得し、取得したＲ、Ｇ１、Ｂ、Ｇ２の各色の画像信号を液晶表示パネル３０へ出力する。これにより、液晶表示パネル３０の表示画面に、ＲＧＢの各色だけでなく、Ｇ２の色を表示することができる。このようにすることで、入力画像の画像信号として、ＲＧＢの画像信号が入力された場合においても、出力画像の色再現範囲をＧ２の色再現範囲に拡大することができる。
【００９５】
タイミングジェネレータ６１４は、タイミングモードを切り替えるためのハードスイッチ又はソフトスイッチを有し、画像信号の輝度信号よりクロック信号ＣＬＫを生成する。先に述べたＲＧＢの各色のＬＥＤ駆動回路５１は、タイミングジェネレータ６１４により決定されたクロック信号ＣＬＫに適合するように、駆動シーケンスが制御される。
【００９６】
次に、本実施形態に係る液晶表示装置１００を適用可能な電子機器の具体例について図２０を参照して説明する。
【００９７】
まず、本発明に係る液晶表示装置１００を、可搬型のパーソナルコンピュータ（いわゆるノート型パソコン）の表示部に適用した例について説明する。図１７（ａ）は、このパーソナルコンピュータの構成を示す斜視図である。同図に示すように、パーソナルコンピュータ７１０は、キーボード７１１を備えた本体部７１２と、本発明に係る液晶表示装置１００を適用した表示部７１３とを備えている。
【００９８】
続いて、本発明に係る液晶表示装置１００を、携帯電話機の表示部に適用した例について説明する。図１７（ｂ）は、この携帯電話機の構成を示す斜視図である。同図に示すように、携帯電話機７２０は、複数の操作ボタン７２１のほか、受話口７２２、送話口７２３とともに、本発明に係る液晶表示装置１００を適用した表示部７２４を備える。
【００９９】
なお、本発明に係る液晶表示装置１００を適用可能な電子機器としては、図１７（ａ）に示したパーソナルコンピュータや図１７（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【０１００】
【図１】第１実施形態に係る液晶表示装置の平面図である。
【図２】第１実施形態に係る液晶表示装置の断面図である。
【図３】第１実施形態に係る光源部の構成を示す斜視図である。
【図４】第１実施形態に係る照明装置の平面図である。
【図５】光源パッケージの拡大断面図である。
【図６】第１実施形態に係る照明装置の構成を示すブロック図である
【図７】第１実施形態に係る赤色ＬＥＤ駆動回路の回路図である。
【図８】照明装置における各色のＬＥＤの駆動シーケンスを示したタイミングチャート。
【図９】第１実施形態に係る電流制限抵抗の模式図である。
【図１０】電流制限抵抗の拡大断面図である。
【図１１】光の輝度の調整後の各色の電流制限抵抗のヒューズを示す模式図である。
【図１２】輝度調整処理についてのフローチャートである。
【図１３】第２実施形態に係る電流制限抵抗の模式図である。
【図１４】光の輝度の調整後の各色の電流制限抵抗のヒューズを示す模式図である。
【図１５】変形例に係る電流制限抵抗の模式図である。
【図１６】本実施形態に係る液晶表示装置を適用した電子機器の回路ブロック図。
【図１７】本実施形態の液晶表示装置を適用した電子機器の例を示す図である。
【符号の説明】
【０１０１】
１２  光源部、  １３  ＬＥＤ、  １４  拡散シート、  １５  プリズムシート、  １０  照明装置、  ３０  液晶表示パネル、  ５１  ＬＥＤ駆動回路、  ５２  電流制限抵抗、  ５３  ＬＥＤ駆動電源、  ７１  光源パッケージ、  １００  液晶表示装置
【図１】
2007220466.tif 000003
【図２】
2007220466.tif 000004
【図３】
2007220466.tif 000005
【図４】
2007220466.tif 000006
【図５】
2007220466.tif 000007
【図６】
2007220466.tif 000008
【図７】
2007220466.tif 000009
【図８】
2007220466.tif 000010
【図９】
2007220466.tif 000011
【図１０】
2007220466.tif 000012
【図１１】
2007220466.tif 000013
【図１２】
2007220466.tif 000014
【図１３】
2007220466.tif 000015
【図１４】
2007220466.tif 000016
【図１５】
2007220466.tif 000017
【図１６】
2007220466.tif 000018
【図１７】
2007220466.tif 000019